(57)【要約】【課題】安価な構成で遊技島を構築できると共に、最低限の簡単な構成で安価に正確な売上管理が行える遊技媒体貸出システムを提供する。【解決手段】貨幣入金機、遊技媒体貸出操作部及び預金返却機と通信可能に接続され、貨幣入金機からの遊技客の身体情報とＩＤ番号とを記憶すると共に、入金金額を更新記憶する記憶手段と、遊技媒体貸出操作部からの遊技客の身体情報とＩＤ番号を受信したとき、照合結果に基づいて玉払出機構に対し遊技媒体貸出指令を送信し、預金返却機からの遊技客の身体情報とＩＤ番号を受信したとき、照合結果に基づいて預金返却機に対し入金残高の返却指令を送信し、遊技媒体貸出指令がゼロとなったとき、または返却指令に基づいて消費した入金金額を売上データとして第三者機関に送信処理する管理装置とから構成した。【選択図】      図１
2008200349.tif 000002
【特許請求の範囲】
【請求項１】
遊技媒体を貸し出す遊技媒体貸出システムにおいて、
遊技客の身体情報とＩＤ番号に基づいて貨幣を入金する貨幣入金機と、
遊技客の身体情報とＩＤ番号に基づいて遊技媒体を貸し出す遊技媒体貸出操作部と、
遊技客の身体情報とＩＤ番号に基づいて入金残高を返却する預金返却機と、
貨幣入金機、遊技媒体貸出操作部及び預金返却機と通信可能に接続され、貨幣入金機からの遊技客の身体情報とＩＤ番号とを記憶すると共に、前記入金金額を更新記憶する記憶手段と、
遊技媒体貸出操作部からの遊技客の身体情報とＩＤ番号を受信したとき、照合結果に基づいて玉払出機構に対し遊技媒体貸出指令を送信し、
預金返却機からの遊技客の身体情報とＩＤ番号を受信したとき、照合結果に基づいて預金返却機に対し入金残高の返却指令を送信し、
前記遊技媒体貸出指令がゼロとなったとき、または前記返却指令に基づいて消費した入金金額を売上データとして第三者機関に送信処理する管理装置と、
から構成したことを特徴とする遊技媒体貸出システム。
【発明の詳細な説明】
【技術分野】
【０００１】
本発明は、遊技媒体（パチンコ玉，メダル）を貸し出し、売上げ管理を第三者機関で行う遊技媒体貸出システムに関するものである。
【背景技術】
【０００２】
従来、パチンコホールでは、パチンコ台やスロットマシン等の遊技台を横方向に直線的に配列し、遊技台一台毎に、遊技客が投入する紙幣や硬貨の真偽判定を行う紙幣識別機、硬貨識別機を備えた遊技媒体貸出機と、前記遊技媒体貸出機の背面に遊技台配列方向に沿って紙幣、及び硬貨を遊技島端に設置された回収装置等に搬送する紙幣搬送装置、及び硬貨搬送装置が設けられ、遊技島を構築し、システム化を行っている。
【０００３】
昨今、遊技媒体貸出機の高機能化が進み、紙幣や硬貨の他、ＩＣカードやＩＣコイン等の記録媒体を使用可能とした遊技媒体貸出機が下記特許文献１に開示されている。
【０００４】
この遊技媒体貸出機は、遊技に用いる遊技媒体との等価交換が可能な硬貨、及び有価データが記録されたＩＣコインを受け入れるコイン受入部と、紙幣を受け入れる紙幣挿入部と、会員カードを受け入れる会員カード処理部を備えたものである。
【０００５】
しかも前記のような遊技媒体貸出機は、ＩＣカードやＩＣコイン等の記録媒体の情報管理を行う管理装置と接続されており、遊技媒体貸出機の貸出金額は、売上データとして集計、管理されるようになっている。しかし、売上げ管理は、ホール経営者のみが行なっていたため経営の透明化に疑問を抱かせるという問題があった。
【０００６】
このため、近年では、プリペイドカードを使用した玉貸システムが広く導入されるに至り、カード販売の代金を第三者であるカード販売管理会社が管理、決済することで、ホール経営の透明化を得るものとしている。
【０００７】
また、現金対応型の遊技媒体貸出機では、特許文献２に示すように、カードユニット等の拡張ユニットと通信可能に接続し、当該遊技媒体貸出機の全体的な動作を集中制御する制御基板にＬＡＮ制御部を持たせ、ＬＡＮを介して第三者機関である外部管理サーバに売上データを送信し、管理、決済することでホール経営の透明化を得るものとしている。
【特許文献１】特開２００５−３０９８６４号公報
【特許文献２】特開２００５−２７８８２７号公報
【発明の開示】
【発明が解決しようとする課題】
【０００８】
しかしながら、上記遊技媒体貸出機を備えた遊技島を構築するにあたり、紙幣搬送装置や硬貨搬送装置等の遊技島設備を必要とし、その取り付け作業（以下施工という）は大変手間の掛かるものであった。
【０００９】
また、上記装置に加えて、遊技媒体貸出機等の機器購入費用、並びに上記施工費用等、遊技島をシステム化（省力化）するには、相当の設備投資費用を要し、ホール経営を圧迫することは明白であった。
【００１０】
さらに、紙幣や硬貨以外にも、ＩＣカードやＩＣコイン等の遊技媒体に供する記録媒体を必要とするので、遊技客にとっては操作が複雑であり、また、ホール経営者にとっては前記記録媒体の管理が煩雑であると共に、プリペイドカード式玉貸システム、現金対応型の玉貸機に於ける第三者機関売上管理システムに伴う設備投資等が一層ホール経営を圧迫するものであった。
【００１１】
本発明は上記した課題を解決しようとするもので、遊技客にとっては操作が簡単であり、またホール経営者にとって安価な構成で遊技島を構築できると共に、最低限の簡単な構成で安価に正確な売上管理が行える遊技媒体貸出システムを提供することを目的とする。
【課題を解決するための手段】
【００１２】
遊技媒体を貸し出す遊技媒体貸出システムにおいて、遊技客の身体情報とＩＤ番号に基づいて貨幣を入金する貨幣入金機と、遊技客の身体情報とＩＤ番号に基づいて遊技媒体を貸し出す遊技媒体貸出操作部と、遊技客の身体情報とＩＤ番号に基づいて入金残高を返却する預金返却機と、貨幣入金機、遊技媒体貸出操作部及び預金返却機と通信可能に接続され、貨幣入金機からの遊技客の身体情報とＩＤ番号とを記憶すると共に、前記入金金額を更新記憶する記憶手段と、遊技媒体貸出操作部からの遊技客の身体情報とＩＤ番号を受信したとき、照合結果に基づいて玉払出機構に対し遊技媒体貸出指令を送信し、預金返却機からの遊技客の身体情報とＩＤ番号を受信したとき、照合結果に基づいて預金返却機に対し入金残高の返却指令を送信し、前記遊技媒体貸出指令がゼロとなったとき、または前記返却指令に基づいて消費した入金金額を売上データとして第三者機関に送信処理する管理装置と、から構成したことを特徴とする。
【発明の効果】
【００１３】
本発明の構成によれば、従来システムで必要とされていた多くの設備が不要となり、設備費用や施工費用等の削減、施工時間の短縮という効果が得られる。
【００１４】
また、本発明の構成によって、遊技媒体の貸し出しや台移動等に必要な有価データが記録されたＩＣカードやＩＣコイン等の記録媒体が不要となり、煩雑、複雑化した操作や管理がなくなることで、遊技客、ホール経営者双方に利便性の向上という効果が得られる。
【００１５】
さらに、遊技客の貨幣は身体情報と共に管理装置にて管理されるため、正確な遊技媒体の貸出、即ち、正確な売上管理が行えるものである。
【発明を実施するための最良の形態】
【００１６】
以下、各図面に基づき、本発明の遊技媒体貸出システムを詳細に説明する。
図１は、遊技媒体貸出システムの概要構成図を示す図である。
図１において、遊技場では複数の遊技台１（パチンコ台）と、前記遊技台１に互いに隣接して配置された遊技媒体貸出操作部（身体情報認証装置）２１とが、遊技場機器として設置されている。前記遊技媒体貸出操作部２１は通信線３を介し管理装置５に接続され、通信を行っている。また、遊技場には遊技客が貨幣を入金する貨幣入金機１１と、該遊技客が遊技後の残金を受取る預金返却機３１とが通信線３を介し管理装置５に接続されている。前記貨幣入金機１１と預金返却機３１には夫々、遊技客の身体情報を読み取る身体情報認証装置１３、３３が設けられている。
【００１７】
本実施例において、前述する遊技客の身体情報とは、該遊技客の指紋情報であり、前記貨幣入金機１１、預金返却機３１に設けられた身体情報認証装置１３、３３、及び遊技媒体貸出操作部２１にて、該遊技客の指紋を読み取り、管理装置５に登録、照合確認等を行う。遊技客から読み取りを行う身体情報を指紋としたが、他の身体情報でも実施可能とする。（例えば、声紋、血流、虹彩等）
【００１８】
管理装置５は、遊技場内の事務所等に設置されており、遊技客が前記貨幣入金機１１にて入金した貨幣金額及び入金時に合わせて登録を行う身体情報、ＩＤ番号とを共にデータベース化し、記憶し、管理を行う。尚、前記管理装置５は、通信線３を介して貨幣入金機１１、遊技媒体貸出操作部２１、預金返却機３１と接続されているとしたが、その接続は、有線、無線のどちらであってもよい。
【００１９】
また、前記管理装置５は、図１に示すように、貨幣入金機１１から預け入れた金額が遊技媒体貸出操作部２１の遊技媒体貸出操作指令によってゼロとなったとき、また、預金返却機３１に対する返却指令に基づいて消費した金額を売上データとして外部通信ネットワーク４を介して第三者機関７に送信処理する。第三者機関７は、ホール売上の検証、保証等を行った前記売上データを保管する。
【００２０】
図２は、貨幣入金機１１の正面図を示す図である。貨幣入金機１１は、略長方形状であり、縦長の箱形状の架台１１ａに設置されている。前記貨幣入金機１１の前面側には、遊技客の身体情報（指紋情報）を読み取り、通信線３を介して管理装置５に登録を行う身体情報認証装置１３と、遊技客に使用手順などの情報を表示する表示部１５と、遊技客が貨幣を入金する貨幣入金口１７と、前面側を施錠する鍵１１ｂと、が設けられている。
【００２１】
前記身体情報認証装置１３は、略四角形状であり、上面部に配された０から９の番号ボタン１３ａと、遊技客のＩＤ番号を入力する際の入力番号の変更、消去、決定等を行う設定ボタン１３ｂと、前面側に突出し穴形状と成した指紋読取部１３ｃと、発光・点滅を行う状態表示ランプ１３ｄと、から構成されている。
【００２２】
また、前記貨幣入金口１７は、遊技客の貨幣を受け入れるものであり、該遊技客が入金した貨幣の真偽判定を行う。貨幣を真偽判定した結果、正規と判断された場合に該貨幣を貨幣入金機１１の内部に収納する。
【００２３】
表示部１５は、図５に示すように、遊技客に貨幣入金動作、指紋登録動作等の使用手順等の情報を表示するタッチパネルであり、遊技客は前記表示部１５に表示された情報を見ながら入金操作、指紋登録動作等の操作を行う。
【００２４】
図３は、遊技媒体貸出操作部（身体情報認証装置）２１の外観斜視図を示す図である。
遊技媒体貸出操作部２１は、略四角形状であり、隣接する遊技台１と接続されている。前記遊技媒体貸出操作部２１は、上面部に配置された０から９までの番号ボタン２１ａと、該番号ボタン２１ａに隣接して配置された遊技媒体の貸出ボタン２１ｂと、遊技を終了する精算ボタン２１ｃと、遊技を開始する遊技ボタン２１ｄと、前面側に突出し穴形状とした指紋読取部２１ｅと、遊技客に残高などの情報を表示する表示部２１ｆと、から構成されている。
【００２５】
遊技媒体貸出操作部２１は、通信線３を介して管理装置５と接続し、貨幣入金機１１に入金された貨幣金額、指紋情報、ＩＤ番号と照合する。また、遊技媒体貸出操作部２１は、貸出ボタン２１ｂを押すことによって、接続する遊技台１の玉払出機構（図示せず）を介して、遊技媒体が貸し出される。
【００２６】
図４は、預金返却機３１の正面図を示す図である。
預金返却機３１は、略長方形状であり、縦長の箱形状の架台３１ａに設置されている。
前記預金返却機３１の前面側には、遊技客の身体情報（指紋情報）を読み取り、通信線３を介して管理装置５と照合を行う身体情報認証装置３３と、遊技客に使用手順などの情報を表示する表示部３５と、遊技客の遊技後の残高を返却する貨幣返却口３７と、前面側を施錠する鍵３１ｂとが設けられている。
【００２７】
尚、本実施例において、前記身体情報認証装置１３と３３は同一のものとし、また前記貨幣入金機１１及び預金返却機３１を別体としたが、両機能を一台に備えたものであってよい。
【００２８】
次に、図５、図６、図７を用いて、本発明の遊技媒体貸出システムの作用を説明する。
図５は貨幣入金機１１に設けられた表示部１５の動作表示フローを示す図であり、図６は遊技媒体貸出操作部２１の遊技動作フローを示す図であり、図７は預金返却機３１に設けられた表示部３５の動作表示フローを示す図である。先ず遊技客は、遊技場に来店した際、貨幣入金機１１に指紋登録、ＩＤ番号入力（登録）及び貨幣の入金を行う。前記貨幣入金機１１の表示部１５は、表示フロー１００に示すように入金ボタン１１０が表示されている。
【００２９】
遊技客が、入金ボタン１１０を押すと、指紋登録を行う表示「指紋登録を行います。お客様の指を読取部へ入れて下さい。」と表示（表示フロー１１１）し、遊技客に指紋登録を行うことを促す。該遊技客は表示内容に従い、身体情報認証装置１３の指紋読取部１３ｃへ指を挿入する。指紋読取部１３ｃで指紋の読み取りを行っている間は「読み込み中です。しばらくお待ち下さい。」と表示（表示フロー１１２）する。読み取った指紋データは管理装置５に送信し、該管理装置５の遊技客リストに登録する。続いて、ＩＤ番号の設定が促され、遊技客自らが任意のＩＤ番号を番号ボタン１３ａによって入力し、このＩＤ番号を前記管理装置５に登録された指紋データに付与し、合わせて登録が行われる。
【００３０】
次に、前記表示フロー１１３では指紋、及びＩＤ番号の登録完了を表示する。その後、遊技客に入金を促す。遊技客は表示フロー１１３に従い、貨幣を貨幣入金口１７に投入する。貨幣入金機１１は、投入した貨幣の真偽判定を行い、真偽判定した結果、正規と判断された場合に表示フロー１１４にて貨幣入金金額を表示し、入金確認（ＹＥＳ／ＮＯ）を表示する。その後、遊技客がＹＥＳボタンを押すことで、管理装置５では、遊技客の指紋、ＩＤ番号、及び入金（預金）を一対として登録（記憶）し、「入金しました。遊技をお楽しみ下さい。」と表示（表示フロー１１５）する。前記表示フロー１１５を表示後、表示部１５は、待機状態（表示フロー１００を表示）となる。
【００３１】
尚、前記ＩＤ番号設定は、遊技客が自ら設定するように説明したが、管理装置５で任意の番号を作成し、遊技客に通知（付与）するものであっても良い。
【００３２】
続いて、図６に示す遊技動作フローにて、遊技媒体の貸出方法を説明する。
遊技台１と接続して配された遊技媒体貸出操作部２１は、ステップ２００において、遊技客が遊技媒体の借り入れるまで待機状態となっている。ステップ２０１において、遊技客が遊技ボタン２１ｄを押すことより指紋読取動作に移行する。その際、表示部２１ｆでは遊技客に指紋を読み取らせる使用手順を表示し、遊技客は該表示部２１ｆの指示に従い、指を指紋読取部２１ｅへ挿入する（ステップ２０２）。本実施例では、遊技客が遊技ボタン２１ｄを押すことより、指紋読取動作に移行するとしたが、該遊技客が指を指紋読取部２１ｅへ挿入することで指紋読取動作に移行してもよい。
【００３３】
ステップ２０３において、挿入された指から指紋を読み取り、該指紋データを管理装置５へ送信する。指紋データが管理装置５に保存された登録リストに登録されているものかを検索し、登録されていれば表示部２１ｆにてＩＤ番号入力の指示を表示し、遊技客は遊技媒体貸出操作部２１に設けた番号ボタン２１ａで、上記ＩＤ番号を入力する（ステップ２０４）。また、遊技客の指紋が登録されていない場合は、待機状態（ステップ２００）に戻る。
【００３４】
ステップ２０５において、遊技客が入力したＩＤ番号を管理装置５へ送信し、指紋データと共に登録されたＩＤ番号と一致するか否かの判定を行い、一致した場合、遊技客の認証が完了し、管理装置５は該遊技客の貨幣金額を遊技媒体貸出操作部２１に送信し、該遊技媒体貸出操作部２１の表示部２１ｆに貨幣金額を入金残高として表示する（ステップ２０６）。遊技客が入力したＩＤ番号と管理装置５に登録されているＩＤ番号が一致しない場合、遊技客は再度、ＩＤ番号を入力する。入力回数が３回を超えると待機状態へ戻る。本実施例において入力回数を３回と記したが、入力回数は任意でもよい。
【００３５】
ステップ２０７より遊技媒体貸出動作へ移行する。遊技客は貸出ボタン２１ｂを押すことで（ＹＥＳ）表示部２１ｆにて表示されている入金残高より相当額引き落とし（本実施例では１０００円分）を行い、表示部２１ｆに減算額を表示後、遊技台１の玉払出機構が作動し、遊技媒体を遊技台１に貸し出す（ステップ２０８、２０９）。
【００３６】
ステップ２１０において、遊技客が再度貸出ボタン２１ｂを押すことで（ＹＥＳ）入金残高より減算を行い、表示部２１ｆに減算額を表示後、遊技媒体を遊技台１に貸し出す。また、ステップ２１１において、遊技客が離席（遊技終了、食事、トイレ等）するため精算ボタン２１ｃを押した際（ＹＥＳ）、表示部２１ｆに表示されている減算後の入金残高を管理装置５へ送信し、再登録を行う（ステップ２１２）。
【００３７】
また、遊技客が他の遊技台１へ移動した際には、当該遊技台１に接続された遊技媒体貸出操作部２１にて同様の操作を行うことで遊技媒体を遊技台１に貸し出し、遊技を楽しむことができる。
【００３８】
次に、遊技を終了した遊技客への貨幣の返却処理を図７の動作表示フローで説明する。
遊技が終了した遊技客は、預金返却機３１の表示部３５に表示された表示フロー１２０の返却ボタン１３０を押す。表示部３５では「登録を確認します。お客様の指を読取部へ入れて下さい。」と表示（表示フロー１３１）し、遊技客は表示部３５に従い、身体情報認証装置３３の指紋読取部へ指を差し込み、指紋の読み取りを行う。
【００３９】
指紋読取部で指紋の読み取りを行っている間は「読み込み中です。しばらくお待ち下さい。」と表示（表示フロー１３２）する。預金返却機３１は、読み取った指紋データを管理装置５へ送信し、管理装置５に保存された登録リストに登録されているものか否かを検索し、登録されていれば表示部３５にてＩＤ番号の入力指示を表示する（表示フロー１３３）。
【００４０】
遊技客は指示に従い身体情報認証装置３３の番号ボタンにてＩＤ番号を入力する。預金返却機３１は遊技客が入力したＩＤ番号を管理装置５へ送信し、管理装置５は、指紋データと共に登録されたＩＤ番号と一致するか判定を行い、一致した場合には該遊技客の残高を預金返却機３１に送信する。預金返却機３１の表示部３５は、前記残高を表示すると共に、合わせて残高返却確認（ＹＥＳ／ＮＯ）を表示する（表示フロー１３４）。遊技客がＹＥＳボタンを押すことで、貨幣返却口３７より残高が返却される。返却後、「ありがとうございました」と表示（表示フロー１３５）する。前記表示フロー１３５を表示後、表示部３５は、待機状態（表示フロー１２０を表示）となる。
【００４１】
これにより、リアルタイム若しくは閉店後、管理装置５は、売上データ、貸出データ等を集計し、これらデータを暗号化して外部通信ネットワーク４を介して第三者機関７に送信する。尚、第三者機関７に送信されるデータは、改竄防止のため見ることができない。
【００４２】
以上、本発明に於いて、貨幣入金機１１にて入金した貨幣を、遊技媒体貸出操作部２１にて遊技客の認証を行い、遊技媒体を貸し出すシステムの構築が可能であり、遊技客は貨幣を従来の玉貸機に投入することがなくなるため、遊技島内に紙幣搬送装置、硬貨搬送装置等の遊技島設備を設置しなくてもよく、安価な構成でシステム化が可能である。
【００４３】
また、本実施例において、貨幣入金機１１、遊技媒体貸出操作部２１及び預金返却機３１にて遊技客を認証するために身体情報の登録と任意のＩＤ番号の付与を必要としたが、身体情報の登録のみの認証でもよい。また、遊技媒体貸出操作部２１を、図８に示すような置型タイプの遊技媒体貸出操作部５１であってもよい。前記遊技媒体貸出操作部５１は、略Ｌ字状の筐体であり、正面略中央部に配置された０から９までの番号ボタン５１ａと、該番号ボタン５１ａの上方側に配置された遊技媒体の貸出ボタン５１ｂと、遊技を終了する精算ボタン５１ｃと、遊技を開始する遊技ボタン５１ｄと、下方側に位置し、前面側に突出した指紋読取部５１ｅと、遊技客に残高などの情報を表示する表示部５１ｆと、から構成されている。
【００４４】
また、本実施例において、前述する遊技媒体貸出システムは、遊技台１をパチンコ台とし、遊技媒体として遊技玉を貸し出すシステムで記述したが、スロットマシンが配された遊技場において、遊技媒体としてメダルを貸し出すシステムにも転用可能とする。
【図面の簡単な説明】
【００４５】
【図１】遊技媒体貸出システムの概要構成図を示す図である。
【図２】貨幣入金機の正面図を示す図である。
【図３】遊技媒体貸出操作部の外観斜視図を示す図である。
【図４】預金返却機の外観斜視図を示す図である。
【図５】貨幣入金機に設けられた表示部の動作表示フローを示す図である。
【図６】遊技媒体貸出操作部の遊技動作フローを示す図である。
【図７】預金返却機に設けられた表示部の動作表示フローを示す図である。
【図８】遊技媒体貸出操作部の他の実施例を示す図である。
【符号の説明】
【００４６】
１      遊技台  ３      通信線  ５      管理装置  ７      第三者機関１１    貨幣入金返却機１３    身体情報認証装置１３ｃ  指紋読取部１５    表示部１７    貨幣投入口２１    遊技媒体貸出操作部（身体情報認証装置）２１ｅ  指紋読取部３１    預金返却機３３    身体情報認証装置３５    表示部
３７    貨幣返却口
【図１】
2008200349.tif 000003
【図２】
2008200349.tif 000004
【図３】
2008200349.tif 000005
【図４】
2008200349.tif 000006
【図５】
2008200349.tif 000007
【図６】
2008200349.tif 000008
【図７】
2008200349.tif 000009
【図８】
2008200349.tif 000010